(57)【特許請求の範囲】
【請求項１】
通信回線を介して接続された他の端末装置から、本装置の再起動が必要な処理が要求された場合に当該本装置を再起動させる再起動手段と、
前記通信回線を介して接続されたサービス処理提供装置から画像処理に関するサービス処理の提供を受けている場合において、前記他の端末装置から前記再起動が必要な処理が要求された場合、本装置が再起動される前に、前記サービス処理に関する課金情報及び前記サービス処理の利用に必要な個人情報の少なくとも一方を含む情報を本装置の記憶手段から消去する消去手段と、
前記通信回線を介して接続されたサービス処理提供装置から画像処理に関するサービス処理の提供を受けている場合において、前記他の端末装置から前記再起動が必要な処理が要求され、当該再起動が必要な処理が、前記サービス処理提供装置から提供を受けているサービス処理の実行に影響がある処理である場合には、再起動する旨を本装置の利用者へ通知するための再起動通知画面を表示する再起動通知画面表示手段とを備え、
前記再起動手段は、前記再起動通知画面の表示後、本装置を再起動させる
画像形成装置。
【請求項２】
前記通信回線を介して接続されたサービス処理提供装置から画像処理に関するサービス処理の提供を受けている場合において、前記他の端末装置から前記再起動が必要な処理が要求され、当該再起動が必要な処理が、前記サービス処理提供装置から提供を受けているサービス処理の実行に影響が無い処理である場合には、前記再起動を許可するか否かを確認するための確認画面を表示する確認画面表示手段を更に備え、
前記再起動手段は、前記確認画面において前記再起動が許可された場合に、本装置を再起動させる
請求項１記載の画像形成装置。
【請求項３】
前記再起動手段は、前記サービス処理提供装置から提供されている前記サービス処理の終了後に、本装置を再起動させる
請求項２記載の画像形成装置。
【請求項４】
前記通信回線を介して接続されたサービス処理提供装置から画像処理に関するサービス処理の提供を受けている場合において、前記他の端末装置から前記再起動が必要な処理が要求された場合、前記再起動を許可するか否かを確認するための確認画面を表示する表示手段をさらに備え、
前記消去手段は、前記確認画面において前記再起動が許可された場合に、前記サービス処理の利用に関する情報を消去する
請求項１記載の画像形成装置。
【請求項５】
前記再起動手段により本装置が再起動された後、前記サービス処理提供装置との接続状態を復元する復元手段
をさらに備えた請求項１〜請求項４の何れか１項に記載の画像形成装置。
【請求項６】
コンピュータを、請求項１〜請求項５の何れか１項に記載の画像形成装置を構成する各手段として機能させるための画像形成プログラム。
【発明の詳細な説明】
【技術分野】
【０００１】
本発明は、画像形成装置及び画像形成プログラムに関する。
【背景技術】
【０００２】
特許文献１には、当該画像形成装置の端末装置にＷｅｂページを配信する画像形成装置であって、当該画像形成装置の画面上に表示される操作画面と当該画像形成装置の端末装置の画面上に前記Ｗｅｂページとして表示される操作画面とを、一方の操作画面の使用中は他方の操作画面の使用が制限されるように制御する操作画面制御手段を備えることを特徴とする画像形成装置が開示されている。
【先行技術文献】
【特許文献】
【０００３】
【特許文献１】特開２００６−８６６４２号公報
【発明の概要】
【発明が解決しようとする課題】
【０００４】
本発明は、通信回線を介して接続されたサービス処理提供装置から画像処理に関するサービス処理の提供を受けている場合において、他の端末装置から再起動が必要な処理が要求された場合、サービス処理の利用に関する情報を消去せずに再起動する場合と比較して、サービス処理の利用に関する情報が不必要に利用されてしまうのを防ぐことができる画像形成装置及び画像形成プログラムを提供することを目的とする。
【課題を解決するための手段】
【０００５】
上記目的を達成するために、請求項１記載の発明は、通信回線を介して接続された他の端末装置から、本装置の再起動が必要な処理が要求された場合に当該本装置を再起動させる再起動手段と、前記通信回線を介して接続されたサービス処理提供装置から画像処理に関するサービス処理の提供を受けている場合において、前記他の端末装置から前記再起動が必要な処理が要求された場合、本装置が再起動される前に、前記サービス処理に関する課金情報及び前記サービス処理の利用に必要な個人情報の少なくとも一方を含む情報を本装置の記憶手段から消去する消去手段と、前記通信回線を介して接続されたサービス処理提供装置から画像処理に関するサービス処理の提供を受けている場合において、前記他の端末装置から前記再起動が必要な処理が要求され、当該再起動が必要な処理が、前記サービス処理提供装置から提供を受けているサービス処理の実行に影響がある処理である場合には、再起動する旨を本装置の利用者へ通知するための再起動通知画面を表示する再起動通知画面表示手段とを備え、前記再起動手段は、前記再起動通知画面の表示後、本装置を再起動させる。
【０００８】
請求項２記載の発明は、前記通信回線を介して接続されたサービス処理提供装置から画像処理に関するサービス処理の提供を受けている場合において、前記他の端末装置から前記再起動が必要な処理が要求され、当該再起動が必要な処理が、前記サービス処理提供装置から提供を受けているサービス処理の実行に影響が無い処理である場合には、前記再起動を許可するか否かを確認するための確認画面を表示する確認画面表示手段を更に備え、前記再起動手段は、前記確認画面において前記再起動が許可された場合に、本装置を再起動させる。
【０００９】
請求項３記載の発明は、前記再起動手段は、前記サービス処理提供装置から提供されている前記サービス処理の終了後に、本装置を再起動させる。
【００１０】
請求項４記載の発明は、前記通信回線を介して接続されたサービス処理提供装置から画像処理に関するサービス処理の提供を受けている場合において、前記他の端末装置から前記再起動が必要な処理が要求された場合、前記再起動を許可するか否かを確認するための確認画面を表示する表示手段をさらに備え、前記消去手段は、前記確認画面において前記再起動が許可された場合に、前記サービス処理の利用に関する情報を消去する。
【００１１】
請求項５記載の発明は、前記再起動手段により本装置が再起動された後、前記サービス処理提供装置との接続状態を復元する復元手段をさらに備える。
【００１３】
請求項６記載の発明は、コンピュータを、請求項１〜請求項５の何れか１項に記載の画像形成装置を構成する各手段として機能させるための画像形成プログラムである。
【発明の効果】
【００１４】
請求項１記載の発明によれば、通信回線を介して接続されたサービス処理提供装置から画像処理に関するサービス処理の提供を受けている場合において、他の端末装置から再起動が必要な処理が要求され、当該再起動が必要な処理が、サービス処理提供装置から提供を受けているサービス処理の実行に影響がある処理である場合に、再起動する旨を通知するための再起動通知画面を表示しない場合と比較して、唐突に再起動されることにより利用者が違和感を感じるのを防ぐことができる、という効果を有する。
【００１６】
請求項２記載の発明によれば、通信回線を介して接続されたサービス処理提供装置から画像処理に関するサービス処理の提供を受けている場合において、他の端末装置から前記再起動が必要な処理が要求され、当該再起動が必要な処理が、サービス処理提供装置から提供を受けているサービス処理の実行に影響がない処理である場合に、再起動を許可するか否かを確認するための確認画面を表示しない場合と比較して、利用者の意図に反して装置が再起動されてしまうのを防ぐことができる、という効果を有する。
【００１７】
請求項３記載の発明によれば、サービス処理提供装置から提供されているサービス処理の実行中に本装置を再起動させる場合と比較して、サービス処理の処理結果を得るのが遅くなるのを防ぐことができる、という効果を有する。
【００１８】
請求項４記載の発明によれば、通信回線を介して接続されたサービス処理提供装置から画像処理に関するサービス処理の提供を受けている場合において、他の端末装置から再起動が必要な処理が要求された場合、再起動を許可するか否かを確認するための確認画面を表示しない場合と比較して、利用者の意図に反して装置が再起動されてしまうのを防ぐことができる、という効果を有する。
【００１９】
請求項５記載の発明によれば、本装置が再起動された後、サービス処理提供装置との接続状態を復元しない場合と比較して、サービス処理提供装置と再接続する手間を省くことができる、という効果を有する。
【００２１】
請求項６記載の発明によれば、通信回線を介して接続されたサービス処理提供装置から画像処理に関するサービス処理の提供を受けている場合において、他の端末装置から再起動が必要な処理が要求された場合、サービス処理の利用に関する情報を消去せずに再起動する場合と比較して、サービス処理の利用に関する情報が不必要に利用されてしまうのを防ぐことができる、という効果を有する。
【図面の簡単な説明】
【００２２】
【図１】画像形成システムの概略構成図である。
【図２】画像形成装置の概略構成図である。
【図３】外部サーバの概略構成図である。
【図４】第１実施形態に係る画像形成装置で実行される処理のフローチャートである。
【図５】第２実施形態に係る画像形成装置で実行される処理のフローチャートである。
【発明を実施するための形態】
【００２３】
以下、本発明の実施形態について説明する。
【００２４】
（第１実施形態）
【００２５】
図１には、本実施形態に係る画像形成システム１０の概略構成を例示した。同図に示すように、画像形成システム１０は、画像形成装置１２、外部サーバ１４、及び端末装置１５がネットワーク１６を介して相互に接続された構成となっている。
【００２６】
図２には、画像形成装置１２の概略構成を例示した。同図に示すように、画像形成装置１２は、コンピュータ１８を含んで構成されている。
【００２７】
コンピュータ１８は、ＣＰＵ（Ｃｅｎｔｒａｌ  Ｐｒｏｃｅｓｓｉｎｇ  Ｕｎｉｔ）１８Ａ、ＲＯＭ（Ｒｅａｄ  Ｏｎｌｙ  Ｍｅｍｏｒｙ）１８Ｂ、ＲＡＭ（Ｒａｎｄｏｍ  Ａｃｃｅｓｓ  Ｍｅｍｏｒｙ）１８Ｃ、不揮発性メモリ１８Ｄ、及び入出力インターフェース（Ｉ／Ｏ）１８Ｅがバス１８Ｆを介して各々接続された構成となっている。
【００２８】
Ｉ／Ｏ１８Ｅには、操作表示部２０、画像読取部２２、画像形成部２４、用紙供給部２６、用紙排出部２８、ネットワーク通信インターフェース（Ｉ／Ｆ）３０、電話回線インターフェース（Ｉ／Ｆ）３２、及びハードディスク３４等の各機能部が接続されている。
【００２９】
操作表示部２０は、例えばコピー開始等を指示するためのスタートボタンやテンキー等の各種ボタン、コピー濃度等の各種の画像形成条件や外部サーバ１４が提供するサービス処理のパラメータを設定するための設定画面、装置の状態等の各種画面等を表示するためのタッチパネル等を含んで構成される。
【００３０】
画像読取部２２は、ラインＣＣＤ等の画像読取センサや当該画像読取センサを走査するための走査機構等を含んで構成され、装置にセットされた原稿の画像を読み取る。
【００３１】
画像形成部２４は、例えば所謂電子写真方式により記録媒体上に画像を形成するものである。具体的には、画像形成部２４は、感光体ドラムを帯電するための帯電装置、帯電された感光体ドラム上を画像に応じた光で露光することにより感光体ドラム上に画像に応じた静電潜像を形成する露光装置、感光体ドラム上に形成された静電潜像をトナー現像する現像装置、感光体ドラム上に形成された画像に応じたトナー像を記録媒体に転写する転写装置、記録媒体に転写された画像に応じたトナー像を定着する定着装置等を含んで構成される。
【００３２】
なお、露光装置としては、半導体レーザや回転多面鏡、コリメータレンズやシリンドリカルレンズ、ｆθレンズ等の光学系を含んで構成された光走査装置、複数のＬＥＤから成るＬＥＤヘッド等がある。
【００３３】
用紙供給部２６は、記録用紙が収容される用紙収容部や、用紙収容部から画像形成部２４へ記録用紙を供給する供給機構等を含んで構成される。
【００３４】
用紙排出部２８は、記録用紙が排出される排出部や、画像形成部２４で画像が形成された記録用紙を排出部上に排出させるための排出機構等を含んで構成される。
【００３５】
ネットワーク通信Ｉ／Ｆ３０は、ネットワーク１６を介して外部サーバ１４とデータ通信を行うためのインターフェースである。
【００３６】
電話回線通信Ｉ／Ｆ３２は、図示しない電話回線を介して接続された他の画像形成装置とファクシミリ通信を行うためのインターフェースである。
【００３７】
ハードディスク３４は、例えば装置の各部の状態や稼働状況等のログデータ、コピーやファクシミリ通信、プリント等の処理結果のログデータ、各種の設定データ、制御プログラム等が記憶される。
【００３８】
なお、後述する処理の制御プログラムは、本実施形態では一例としてハードディスク３４に予め記憶され、ＣＰＵ１８Ａがこの予め記憶された制御プログラムを読み込むことにより実行される。また、ＣＤ−ＲＯＭ等の記録媒体に制御プログラムを記録し、これをＣＤ−ＲＯＭドライブ等で読み込むことにより実行するようにしてもよい。
【００３９】
図３には、外部サーバ１４の概略構成を例示した。同図に示すように、外部サーバ１４は、コンピュータ４０を含んで構成されている。
【００４０】
コンピュータ４０は、ＣＰＵ４０Ａ、ＲＯＭ４０Ｂ、ＲＡＭ４０Ｃ、不揮発性メモリ４０Ｄ、及び入出力インターフェース（Ｉ／Ｏ）４０Ｅがバス４０Ｆを介して各々接続された構成となっている。
【００４１】
Ｉ／Ｏ４０Ｅには、キーボードやマウス等を含んで構成された操作部４２、液晶ディスプレイ等で構成された表示部４４、ネットワーク１６を介して画像形成装置１２とデータ通信するためのネットワーク通信インターフェース（Ｉ／Ｆ）４６、及びネットワーク１６に接続された他の装置、例えば画像形成装置１２等に提供するサービス処理としてのアプリケーション（例えばＷｅｂアプリケーション）を実行するためのアプリケーションプログラム等を記憶するためのハードディスク４８等が接続されている。
【００４２】
外部サーバ１４は、例えば、画像形成装置１２でスキャンされた画像データに対してＯＣＲ（Ｏｐｔｉｃａｌ  Ｃｈａｒａｃｔｅｒ  Ｒｅｃｏｇｎｉｔｉｏｎ）処理を施すスキャンｔｏＯＣＲや、読み取られたアプリケーション、例えば画像形成装置１２でスキャンされた画像データを指定されたメールアドレスにメール送信するスキャンｔｏメール等の画像形成処理に関する各種サービス処理をネットワーク１６に接続された他の装置に対して提供する。
【００４３】
外部サーバ１４では、各種サービス処理を画像形成装置１２に対して提供する際には、提供するサービス処理の種類及び内容に応じて課金処理する。課金の種類には、例えば外部サーバ１４が提供するアプリケーションの利用内容に応じた使用料の他、外部サーバ１４へ接続している時間、すなわちアプリケーションを利用している時間に応じて課金される通信料等があり、少なくとも一方の料金が含まれる。
【００４４】
端末装置１５は、例えば一般的なパーソナルコンピュータ等で構成され、例えば画像形成装置１２に対して、画像形成装置１２の各種設定の変更を要求したりする。この場合、画像形成装置１２の再起動が必要となるようなシステムデータ、例えばユーザー認証に関する認証設定データ等の変更が要求された場合、画像形成装置１２は、装置を再起動する。なお、再起動が必要となるようなデータは一例であり、これに限られるものではない。
【００４５】
次に、本実施形態の作用として、画像形成装置１２で実行される処理について、フローチャートを参照して説明する。
【００４６】
図４には、画像形成装置１２で実行される処理の一例を示すフローチャートを示した。なお、この処理は、ユーザーが画像形成装置１２にユーザーＩＤやパスワード等を入力してユーザー認証が行われてログインした状態において、操作表示部２０を操作して、外部サーバ１４が提供するサービス処理の実行を指示すると実行される。本実施形態では、前述したスキャンｔｏＯＣＲの実行をユーザーが指示した場合について説明する。
【００４７】
まず、ステップ１００では、外部サーバ１４にアクセスする。すなわち、ユーザーが指示したスキャンｔｏＯＣＲの実行を外部サーバ１４に対して要求する。この場合、ユーザーＩＤ等のユーザーを特定するための情報や、サービス処理毎に付与される処理ＩＤ等の情報が外部サーバ１４に送信される。
【００４８】
これにより、外部サーバ１４は、スキャンｔｏＯＣＲのアプリケーションプログラムを実行し、アプリケーションのパラメータを設定するよう画像形成装置１２に要求する。
【００４９】
ここで、スキャンｔｏＯＣＲのパラメータとしては、例えばスキャンの解像度、スキャンする画像のサイズ、スキャンした画像の保存先、ＯＣＲ処理の種類等があるが、これに限られるものではない。
【００５０】
ステップ１０２では、外部サーバ１４からの要求に応じて、スキャンｔｏＯＣＲを実行する際の各種パラメータを設定するための設定画面を操作表示部２０に表示させ、ユーザーにパラメータを入力させる。入力されたパラメータは、外部サーバ１４に送信すると共に、ハードディスク３４に記憶する。
【００５１】
ステップ１０３では、支払い方法を設定するための設定画面を操作表示部２０に表示させ、ユーザーに支払い方法を設定させる。本実施形態では、一例としてクレジットカードでの支払いを設定した場合について説明する。この場合、クレジットカード番号や氏名等、支払いに必要な支払い情報を入力させる。入力された情報は、外部サーバ１４に送信すると共に、ハードディスク３４に記憶する。
【００５２】
ステップ１０４では、サービス処理の実行を開始する。ここでは、ユーザーがスキャンする原稿を画像形成装置１２にセットし、操作表示部２０を操作して画像の読み取りを指示する。これにより、画像形成装置１２の画像読取部２２により画像の読み取りが開始され、読み取られた画像の画像データが順次外部サーバ１４へ送信される。外部サーバ１４では、画像形成装置１２から送信された画像データに対して順次ＯＣＲ処理を施し、ＯＣＲ処理が施されたデータを指定された保存先に保存する。
【００５３】
ステップ１０６では、画像形成装置１２の再起動が必要となるシステムデータ等の設定変更や、処理中のサービス処理やその後実行予定の予約されたサービス処理の実行に影響のある設定変更等が端末装置１５から要求されたか否かを判断する。そして、設定変更が端末装置１５から要求された場合には、ステップ１０８へ移行し、設定変更が端末装置１５から要求されていない場合には、ステップ１１８へ移行する。
【００５４】
ステップ１１８では、スキャンｔｏＯＣＲの処理が終了したか否かを判断する。すなわち、セットした原稿の読み取りが完了し、読み取った画像の画像データが外部サーバ１４に送信されて外部サーバ１４でＯＣＲ処理が終了したか否かを判断する。これは、例えば外部サーバ１４から処理が終了した旨を示す情報を受信したか否かにより判断される。
【００５５】
そして、スキャンｔｏＯＣＲの処理が終了した場合には本ルーチンを終了し、スキャンｔｏＯＣＲの処理が終了していない場合には、ステップ１０６へ戻る。
【００５６】
一方、設定変更が端末装置１５から要求された場合には、ステップ１０８において、設定変更を許可するか否かを確認するための図示しない確認画面を操作表示部２０に表示させる。ユーザーは、この確認画面で設定変更を許可するか否かを選択する。
【００５７】
ステップ１１０では、設定変更がユーザーによって許可されたか否かを判断する。そして、設定変更が許可された場合には、ステップ１１１へ移行し、設定変更が許可されなかった場合には、ステップ１１８へ移行する。
【００５８】
ステップ１１１では、端末装置１５から要求された設定変更処理を実行してステップ１１２へ移行する。
【００５９】
ステップ１１２では、それまでに課金された課金情報をクリア（消去）するための課金クリア処理を実行する。具体的には、ユーザーＩＤや処理ＩＤ等の課金をクリアするのに必要な情報を含む課金クリアコマンドを外部サーバ１４へ送信し、それまでに課金した料金をクリアするように要求する。
【００６０】
これにより、外部サーバ１４では、指定された処理ＩＤのサービス処理に対してそれまでに課金した課金情報をクリアする。例えば、原稿枚数１００枚の原稿のスキャンｔｏＯＣＲ処理の実行をユーザーが指示した場合において、５０枚分の原稿の読み取り及びＯＣＲ処理が終了した時点で端末装置１５から再起動を伴う設定変更の要求があった場合には、すでに５０枚分のスキャンｔｏＯＣＲ処理に対して課金されているので、その５０枚分の課金情報をクリアする。また、通信料も課金されている場合には、その通信料もクリアする。
【００６１】
なお、画像形成装置１２側でも課金処理を実行している場合には、その課金情報もクリアする。
【００６２】
ステップ１１３では、支払い情報をクリア（消去）するための情報クリア処理を実行する。具体的には、カード番号等の支払い情報のクリアを指示する情報クリアコマンドを外部サーバ１４へ送信し、支払い情報を消去するように要求する。
【００６３】
これにより、外部サーバ１４では、ハードディスク４８に記憶していた支払い情報を消去する。また、画像形成装置１２においても、ハードディスク３４に記憶していた支払い情報を消去する。
【００６４】
そして、情報クリア処理が実行されると、ステップ１１４において、画像形成装置１２を再起動させる。なお、外部サーバ１４から消去完了した旨の情報を受信した後に画像形成装置１２を再起動させてもよい。また、外部サーバ１４から消去対象となった情報を画像形成装置１２に通知するようにしても良い。
【００６５】
画像形成装置１２が再起動された後は、ステップ１１６において、リカバリー処理を実行する。具体的には、まず、課金がクリアされたこと及び支払い情報がクリアされたことを示すメッセージを操作表示部２０に表示する。これにより、ユーザーは、課金情報及び支払い情報がクリアされたことを把握する。なお、再起動後にメッセージを表示する場合に限らず、再起動前や消去処理中（例えば課金情報クリア中等）にメッセージを表示するようにしても良い。
【００６６】
また、画像形成装置１２は、ステップ１０２で設定したパラメータをハードディスク３４から読み出して外部サーバ１４へ送信し、再接続する。これにより、ユーザーは、再度パラメータの設定をすることなく、再びサービス処理の提供が受けられる。リカバリー処理を実行した後は、ステップ１０３へ移行して、上記の処理を繰り返す。なお、リカバリー処理は、再起動時のユーザー認証により認証されたユーザーが、処理中のサービス処理を起動したユーザーであった場合にのみ行い、それ以外のユーザーの場合はリカバリー処理を行わないようにしてもよい。
【００６７】
このように、外部サーバ１４からサービス処理が提供されている場合に、端末装置１５から再起動が必要な設定変更の要求があった場合は、課金をクリアして再起動するので、ユーザーに対して不必要に課金されてしまうのが防止される。また、クレジットカード番号等の支払い情報も消去して再起動するので、個人情報が不必要に外部サーバ１４に記憶されたままになってしまうのが防止される。
【００６８】
なお、本実施形態では、ステップ１０８で再起動を許可するか否かを確認するための確認画面を表示させて、ユーザーによって再起動が許可された場合に再起動する場合について説明したが、確認画面を表示せずに、すなわちユーザーによる再起動の許可を得ることなく再起動するようにしてもよい。
【００６９】
また、ステップ１１２の課金クリア処理及びステップ１１３の情報クリア処理は、何れか一方の処理のみを実行するようにしてもよい。
【００７０】
また、ステップ１１６のリカバリー処理を実行せずに、ステップ１００へ戻って最初から処理を実行するようにしてもよい。
【００７１】
（第２実施形態）
【００７２】
次に、本発明の第２実施形態について説明する。なお、第１実施形態と同一部分には同一符号を付し、詳細な説明は省略する。
【００７３】
本実施形態に係る画像形成システムは、第１実施形態で説明した画像形成システム１０と同一であるので、説明は省略する。
【００７４】
次に、本実施形態の作用として、画像形成装置１２で実行される処理について、図５に示すフローチャートを参照して説明する。
【００７５】
図５に示すフローチャートが第１実施形態で説明した図４のフローチャートと異なる点は、ステップ１０７、１０９の処理である。その他のステップの処理は、図４と同一であるので、説明は省略する。
【００７６】
ステップ１０６で肯定判定されると、ステップ１０７では、端末装置１５から要求された再起動が必要となる設定変更が、処理中のサービス処理やその後実行予定の予約されたサービス処理の実行に影響のある設定変更（例えば画像読取部２２の設定パラメータの制限設定やＯＣＲ処理等の外部サーバ１４が提供するサービスの課金情報の更新など）であるか否かを判断する。
【００７７】
そして、端末装置１５から要求された再起動が必要となる設定変更が、処理中のサービス処理やその後実行予定の予約されたサービス処理の実行に影響のある設定変更である場合には、ステップ１０９へ移行する。
【００７８】
ステップ１０９では、再起動が行われる旨を示す再起動通知画面を操作表示部２０に表示させる。この再起動通知画面では、例えば「処理中の課金情報が変更になるため、再起動を行います。処理中の課金情報は削除されます。」といったようなメッセージを表示する。その後は、第１実施形態と同様に再起動処理等が実行される。
【００７９】
このように、端末装置１５から要求された再起動が必要となる設定変更が、処理中のサービス処理やその後実行予定の予約されたサービス処理の実行に影響のある設定変更である場合には、強制的に再起動される。
【００８０】
一方、端末装置１５から要求された再起動が必要となる設定変更が、処理中のサービス処理やその後実行予定の予約されたサービス処理の実行に影響のない設定変更である場合には、ステップ１０８へ移行し、第１実施形態と同様に、設定変更を許可するか否かを確認するための確認画面を操作表示部２０に表示させる。
【００８１】
そして、ユーザーが、設定変更を許可した場合には、ステップ１１０で肯定判定され、第１実施形態と同様に再起動処理等が実行される。なお、すぐに再起動処理せずに、現在処理中のサービス処理が終了した後に再起動するようにしてもよい。
【００８２】
なお、上記各実施形態で説明した画像形成装置１２の構成（図２参照）は一例であり、本発明の主旨を逸脱しない範囲内において不要な部分を削除したり、新たな部分を追加したりしてもよいことは言うまでもない。
【００８３】
また、上記各記実施形態で説明した制御プログラムの処理の流れ（図４、５参照）も一例であり、本発明の主旨を逸脱しない範囲内において不要なステップを削除したり、新たなステップを追加したり、処理順序を入れ替えたりしてもよいことは言うまでもない。
【符号の説明】
【００８４】
１０  画像形成システム
１２  画像形成装置
１４  外部サーバ
１５  端末装置
１６  ネットワーク
１８  コンピュータ
２０  操作表示部
２２  画像読取部
２４  画像形成部
２６  用紙供給部
２８  用紙排出部
３０  ネットワーク通信Ｉ／Ｆ
３２  電話回線通信Ｉ／Ｆ
３４  ハードディスク
４０  コンピュータ
４２  操作部
４４  表示部
４６  ネットワーク通信Ｉ／Ｆ
４８  ハードディスク
【図１】
0005640556.tif 000002
【図２】
0005640556.tif 000003
【図３】
0005640556.tif 000004
【図４】
0005640556.tif 000005
【図５】
0005640556.tif 000006